(57)【特許請求の範囲】
【請求項１】
面板部においてドア体に固定され、ドア内配線をドア体外に引き出す通線開口を提供するドア側通線具と、
ドア枠部に固定され、枠部通過配線をドア枠部外に引き出す通線開口を提供する枠側通線具とを有し、
前記ドア側通線具には、枠側通線具を着脱自在に連結する連結手段が設けられる通線具セット。
【請求項２】
面板部においてドア体に固定され、ドア内配線をドア体外に引き出す通線開口を提供するドア側通線具と、
ドア枠部に固定され、枠部通過配線をドア枠部外に引き出す通線開口を提供する枠側通線具とを有し、
前記枠側通線具は、一部、または全部がドア側通線具の通線開口から挿入されて該ドア側通線具の面板部後方に位置する保管姿勢でドア側通線具に対して脱離自在に連結可能な通線具セット。
【請求項３】
前記ドア側通線具と枠側通線具の通線開口を挿通し、両端にドア内配線、および枠部通過配線にプラグイン接続されるコネクタが固定された導電ケーブルを備えた請求項１または２記載の通線具セット。
【請求項４】
前記枠側通線具には、前記枠部通過配線に接続される外部接続コネクタがプラグイン接続されるコネクタを保持するコネクタ保持部が形成される請求項３記載の通線具セット。
【請求項５】
前記コネクタ保持部は、前記コネクタを脱離可能に保持可能で、かつ、保持したコネクタへの外部接続コネクタの挿入操作力を受けるコネクタ支承部を備える請求項４記載の通線具セット。
【請求項６】
前記コネクタ保持部は、コネクタを弾発係止可能に形成される請求項４または５記載の通線具セット。
【請求項７】
前記枠側通線具は、上下いずれか一端部を先頭にしてドア側通線具の通線開口を通過させ、ドア側通線具に対して交差する保管姿勢でドア側通線具に連結される請求項１から６のいずれかに記載の通線具セット。
【請求項８】
電気錠を組み付けたドア体と、
ドア体に固定されるドア側通線具と、
電気錠のドア内配線に接続されてドア側通線具に開設された通線開口からドア体外に引き出され、該ドア体が装着されるドア枠部を挿通する枠部通過配線にプラグイン接続されるコネクタを一端に固定した導電ケーブルと、
前記ドア枠部に固定可能で、前記ドア側通線具に脱離自在に連結可能な枠側通線具と、
を有する電気錠組み付けドア。
【請求項９】
前記枠側通線具には、前記枠部通過配線に接続される外部接続コネクタがプラグイン接続されるコネクタが保持される請求項８記載の通線具セット。
【請求項１０】
前記枠側通線具は、上下いずれか一端部を先頭にしてドア側通線具の通線開口を通過させて全体がドア体内に格納される請求項９記載の電気錠組み付けドア。
【発明の詳細な説明】
【技術分野】
【０００１】
本発明は、ドア内配線とドア枠部側の配線を接続する際に使用する通線具セットに関するものである。
【背景技術】
【０００２】
ドア体内部の配線をドア体から引き出してドア枠部側の配線に接続する際に使用される通線具セットとしては、特許文献１に記載のものが知られている。この従来例において、通線具セットは、ドア体の回転基端側端面とドア枠の対向端面とに固定される一対のケースとを有して構成される。
【０００３】
ケース間は保護部材により連結されており、両端がドア内配線と枠内の配線に連結される電線が保護部材内部に挿通される。  
【先行技術文献】
【特許文献】
【０００４】
【特許文献１】実公平６-３４５３１号公報
【発明の概要】
【発明が解決しようとする課題】
【０００５】
しかし、上述した従来例は一対のケースが分離不能で、かつ、相互の位置関係が定まらないために、例えば、一方のケースをドア体に固定した状態においても他方の位置が決定されない。この結果、搬送、保管時にぶらついたケースがドア体等に衝接して傷を付ける等の虞があるために、効率的な搬送、保管が困難であるという欠点がある。
【０００６】
この問題を解決するためには、通線具セットをドア体とは別に施工現場に搬送し、施工現場でドア体に固定することも可能であるが、この場合、ドア内配線への結線等、面倒で細かい作業を施工現場で行う必要が生じ、施工効率の低下を惹起する。
【０００７】
本発明は、以上の欠点を解消すべくなされたものであって、搬送、保管効率を低下させることなくドア体への組み付け状態での施工現場への搬入を可能にする通線具セットの提供を目的とする。また、本発明の他の目的は、上記通線具セットを使用することにより設置効率を向上させた電気錠組み付けドアの提供にある。
【課題を解決するための手段】
【０００８】
通線具セット（Ａ）は、
面板部３ａにおいてドア体１に固定され、ドア内配線２をドア体１外に引き出す通線開口３ｂを提供するドア側通線具３と、
ドア枠部４に固定され、枠部通過配線５をドア枠部４外に引き出す通線開口６ａを提供する枠側通線具６とを有して構成され、ドア側通線具３には、枠側通線具６を着脱自在に連結する連結手段１４が設けられる。
【０００９】
ドア側通線具３に枠側通線具６の連結手段１４を設けることによって、枠側通線具６はドア側通線具３に対して所定の保管姿勢に保持されるために、ドア体１にドア側通線具３を固定した状態であっても、枠側通線具６が不用意にぶらついて他部品に傷を付けることがなくなる。この結果、予めドア側通線具３をドア体１に組み込んでおいて施工現場に搬入する工順を取ることができ、現場での施工作業性を向上させることができる。
【００１０】
また、通線具セット（Ａ）は、
面板部３ａにおいてドア体１に固定され、ドア内配線２をドア体１外に引き出す通線開口３ｂを提供するドア側通線具３と、
ドア枠部４に固定され、枠部通過配線５をドア枠部４外に引き出す通線開口６ａを提供する枠側通線具６とを有し、
前記枠側通線具６は、一部、または全部がドア側通線具３の通線開口３ｂから挿入されて該ドア側通線具３の面板部３ａ後方に位置する保管姿勢でドア側通線具３に対して脱離自在に連結可能に形成することができる。
【００１１】
枠側通線具６の一部、または全部をドア体１内に収容することによって、ドア体１内部を枠側通線具６の収容スペースとして利用することができるために、枠側通線具６をドア体１から突出することなく、あるいはドア体１からの突出寸法を小さくしてドア体１に保持することができる。この結果、全体の荷姿を小型化することが可能になり、保管、搬送効率を向上させることができる。
【００１２】
また、通線具セット（Ａ）には、
ドア側通線具３と枠側通線具６の通線開口３ｂ、６ａを挿通し、両端にドア内配線２、および枠部通過配線５にプラグイン接続されるコネクタ７、７’が固定された導電ケーブル８を含めることができる。
【００１３】
この場合、ドア内配線２への接続、あるいは施工現場での枠部通過配線５への接続はコネクタ７、７’を対応するコネクタにプラグイン接続するだけで完了するために、作業性が向上する。
【００１４】
さらに、枠側通線具６には、枠部通過配線５に接続される外部接続コネクタ５ａがプラグイン接続されるコネクタ７を保持するコネクタ保持部２０を形成することが可能であり、コネクタ保持部２０にコネクタ７を保持することによって、コネクタ７が不用意にぶらつくことがなく、保管、搬送効率がより向上する。
【００１５】
コネクタ保持部２０は、コネクタ７を脱離不能に取り付けるものであっても、あるいは搬送時等にのみコネクタ７のブラ付きを防止するために仮保持するものであっても、さらには、例えば、ドア枠部４の状態によって恒久的なコネクタ７の固定手段として利用するものであってもよい。
【００１６】
この場合、前記コネクタ保持部２０は、前記コネクタ７を脱離可能に保持可能で、かつ、保持したコネクタ７への外部接続コネクタ５ａの挿入操作力を受けるコネクタ支承部２１を備える通線具セットを構成すると、恒久的にコネクタ７をコネクタ保持部２０に保持して使用するときには、コネクタ保持部２０に装着した状態のコネクタ７に直接外部接続コネクタ５ａを押し付けて装着することができ、このような使用が不要な場合には、コネクタ７を取り外すこともできるために、汎用性が向上する。
【００１７】
また、通線具セット（Ａ）は、
前記枠側通線具６は、上下いずれか一端部を先頭にしてドア側通線具３の通線開口３ｂを通過させ、ドア側通線具３に対して交差する保管姿勢でドア側通線具３に連結されるように構成することができる。
【００１８】
このように構成することによって、通線具間に導電ケーブル８を挿通させた状態であっても、導電ケーブル８にねじり等の不適正な変形を与えることなく、枠側通線具６を保管姿勢に保持することが可能になる。
【００１９】
さらに、
電気錠９を組み付けたドア体１と、
ドア体１に固定されるドア側通線具３と、
電気錠９のドア内配線２に接続されてドア側通線具３に開設された通線開口３ｂからドア体１外に引き出され、該ドア体１が装着されるドア枠部４を挿通する枠部通過配線５にプラグイン接続されるコネクタ７を一端に固定した導電ケーブル８と、
前記ドア枠部４に固定可能で、前記ドア側通線具３に脱離自在に連結可能な枠側通線具６と、
を有する電気錠組み付けドア（Ｂ）を構成した場合、施工現場に電気錠組み付けドア（Ｂ）を搬入してドア枠部４に連結した後、枠側通線具６を取り出してコネクタ７を使用して枠部通過配線５にプラグインし、さらに、枠側通線具６をドア枠部４に固定するだけで布線操作も含めた全作業を完了させることができる。
【発明の効果】
【００２０】
本発明によれば、搬送、保管効率を低下させることなくドア体への組み付け状態での施工現場への搬入を可能にすることができる。
【図面の簡単な説明】
【００２１】
【図１】本発明を示す図で、（ａ）はドア体を建物躯体に組み付けた状態を示す正面図、（ｂ）は（ａ）の１Ｂ線断面図である。
【図２】通線具セット（Ａ）の使用状態を示す図で、（ａ）は図１（ａ）の２Ａ部拡大断面図、（ｂ）は図２（ａ）の２Ｂ部拡大図である。
【図３】ドア側通線具を示す図で、（ａ）は正面図、（ｂ）は右側面図、（ｃ）は背面図、（ｄ）は正面方向から見た斜視図、（ｅ）は背面方向から見た斜視図である。
【図４】枠側通線具を示す図で、（ａ）は背面図、（ｂ）は左側面図、（ｃ）は正面図、（ｄ）は正面方向から見た斜視図、（ｅ）は背面方向から見た斜視図である。
【図５】電気錠組み付けドアの要部を示す図で、（ａ）は断面図、（ｂ）、（ｃ）は通線具の収まりを示す斜視図である。
【図６】電気錠組み付けドアの要部を示す図で、（ａ）は正面図、（ｂ）は（ａ）の６Ｂ-６Ｂ線断面図である。
【図７】ドア枠部への枠側通線具の取付け状態を示す図で、（ａ）は正面図、（ｂ）は（ａ）の７Ｂ-７Ｂ線断面図である。
【図８】本発明の他の実施の形態を示す図で、（ａ）は断面図、（ｂ）は側面図、（ｃ）は正面方向から見た斜視図である。
【図９】ドア側通線具を示す図で、（ａ）は正面図、（ｂ）は右側面図、（ｃ）は背面図、（ｄ）は正面方向から見た斜視図、（ｅ）は背面方向から見た斜視図である。
【図１０】図９のドア側通線具とともに使用する枠側通線具を示す図で、（ａ）は背面図、（ｂ）は左側面図、（ｃ）は正面図、（ｄ）は正面方向から見た斜視図、（ｅ）は背面方向から見た斜視図である。
【図１１】ドア、およびドア枠部への固定状態を示す図で、（ａ）は側面図、（ｂ）は（ａ）の１１Ｂ方向矢視図である。
【発明を実施するための形態】
【００２２】
図１、２に本発明による電気錠組み付けドア（Ｂ）を建物躯体に取り付けた状態を示す。図１（ａ）に示すように、電気錠組み付けドア（Ｂ）は、ドア体１と、ドア体１に固定される電気錠９を備え、ドア体１内には、電気錠９への給電のためのドア内配線２が布線される。
【００２３】
ドア内配線２は、導電ケーブル８を介してドア枠部４内を通過する配線に接続され、商用電源コンセントに接続される。電気錠９は、制御部が組み込まれた自立型の錠装置で、給電状態での施解錠操作によりデッドボルト１０が施解錠位置間で駆動される。なお、電気錠９は、制御部が別途用意される被制御駆動型のものでもよく、この場合、ドア内配線２に信号線が含まれる。
【００２４】
Ａは通線具セットで、ドア側通線具３と枠側通線具６とを含む。上記ドア側通線具３はドア体１の回転基端側端面に固定されて使用されるのに対し、枠側通線具６は閉扉状態でドア側通線具３に正対するようにドア枠部４に固定されて使用され、双方、金属板に折り曲げ加工を施して形成される。
【００２５】
図３に示すように、ドア側通線具３は、側面視台形状のフード部３ｃと、フード部３ｃの正面（以下、本明細書において、ドア体１、あるいはドア枠部４に固定した状態を基準として、ドア体１、あるいはドア枠部４の表面側を「正面」、「前方」とし反対方を「背面」、「後方」とする。）に配置される上下２枚の面板部３ａ、３ａとを有し、フード部３ｃをドア体１の端面に開設された装着開口１ａ（図１（ｂ）参照）に嵌合させた状態で各面板部３ａに設けたビス貫通孔３ｄからねじ込まれる図外のビスを使用してドア体１に固定される。
【００２６】
上記フード部３ｃの正面に向けた開口は、上方に位置する面板部３ａに一部閉塞されて残余の開口が通線開口３ｂとして使用され、さらに、フード部３ｃは底面から背面下端部に至るまでの間が開放されて通線具受容口１１として使用される。この通線具受容口１１の上端縁には、下方に向けて押さえ片１２が折り返されるとともに、通線具受容口１１の下端部にはネジ孔１３ａを備えるネジ受け舌片１３が形成される。
【００２７】
さらに、フード部３ｃの天井壁には、ケーブル引き出し孔３ｅが開設されるとともに、フード部３ｃの両側壁には、各側壁の前端縁を基端とし、後下がり姿勢で斜め後方に延びる係止スリット１４が形成される。
【００２８】
一方、枠側通線具６は、図４に示すように、正面に開口したフード部６ｂと、フード部６ｂの開口上部を閉塞し、さらに上方に延びる面板部６ｄと、フード部６ｂの下端から下方に延びる差し込み片６ｃとを有する。フード部６ｂ、および面板部６ｄの幅寸法は、上記ドア側通線具３の通線開口３ｂの幅寸法に比してやや小寸に形成されており、面板部６ｄの上端部には、ドア側通線具３の通線開口３ｂの幅寸法に比して幅広のストッパ部１５が形成される。
【００２９】
差し込み片６ｃは、面板部６ｄに対して平行で、かつ、面板部６ｄからやや後方に偏位して配置されており、枠側通線具６のドア枠部４への固定は、図２（ｂ）に示すように、差し込み片６ｃ正面壁をドア枠部４の内壁面に当接させた状態で差し込み片６ｃをドア枠部４の装着開口４ａに挿入するとともに、ドア枠部４の装着開口４ａにフード部６ｂを嵌合させた後、面板部６ｄを固定して行われる。
【００３０】
枠側通線具６の差し込み片６ｃを受容するために、ドア枠部４には図７に示すように、装着開口４ａの下端縁から内方に折り返される折り返し部４ｂに差し込み片受容孔４ｃが開設される。
【００３１】
また、枠側通線具６の面板部６ｄの固定は、ビス貫通孔６ｅを貫通するビス１９が使用される。後述するように、枠側通線具６を止着によりドア側通線具３に止着して仮保持する場合、止着用のビス１９が流用される。
【００３２】
また、フード部６ｂの天井壁にはケーブル引き出し孔６ｆが開設されるとともに、フード部６ｂの背面上部には透孔１６ａを備えるネジ受け舌片１６が形成される。ネジ受け舌片１６は、枠側通線具６を図５に示す保持姿勢に保持した状態でドア側通線具３のネジ受け舌片１３に正対する位置に形成される。
【００３３】
さらに、枠側通線具６のフード部６ｂの側壁部は前方に張り出されて覆い片１７とされる。図２に示すように、覆い片１７は、枠側通線具６をドア枠部４に固定した状態で、ドア体１とドア枠部４の間隙を閉塞して後述する導電ケーブル８等の目視を妨げる。
【００３４】
また、この実施の形態において、通線具セット（Ａ）には、図２に示すように、導電ケーブル８と、この導電ケーブル８が挿通する保護部材１８が含まれる。導電ケーブル８は、ドア側、および枠側通線具３、６の通線開口３ｂ、６ａを通って各々のフード部３ｃ、６ｂに導かれた後、ケーブル引き出し孔３ｅ、６ｆから通線具３、６外部に引き出され、導電ケーブル８の両端にはコネクタ７、７’が固定される。
【００３５】
保護部材１８は導電ケーブル８を保護するために設けられる可撓性を有する筒状部材であり、図２（ａ）に示すように、合成樹脂材によるチューブ体として形成することも、あるいは図２（ｂ）に示すように、コイルスプリング状に形成することもできる。
【００３６】
以上のように構成される通線具セット（Ａ）は、電気錠９が組み込まれたドア体１に固定しておくことによって電気錠組み付けドア（Ｂ）として施工現場に搬入することができる。電気錠組み付けドア（Ｂ）の状態において、導電ケーブル８のドア側コネクタ７’はドア体１内に布線されるドア内配線２に連結されており、さらに、ドア体１には導電ケーブル８を介して枠側通線具６が連結されているために、施工現場において導電ケーブル８のコネクタ７を枠部通過配線５の外部接続コネクタ５ａをプラグイン接続した後、枠側通線具６をドア枠部４に固定し、さらに、電気錠組み付けドア（Ｂ）をドア枠部４に装着するだけで施工が完了する。
【００３７】
図５、６に示すように、ドア体１に脱離不能に連結している枠側通線具６は、搬送時において、ドア側通線具３の通線開口３ｂから挿入されてドア体１内に保持される。枠側通線具６の保持は、該枠側通線具６のストッパ部１５をドア側通線具３の係止スリット１４に嵌合して行われる。搬送時等における飛び出しの危険がある場合、例えば、ドア側通線具３の通線開口３ｂを粘着テープ等で閉塞すれば足りるが、より安全を期すために、ネジ受け舌片１３、１６同士をビス１９により相互に連結してもよい。この場合、ビス１９は、枠側通線具６をドア枠部４に止着する際のビス１９に転用することが可能であり、このようにすると、枠側通線具６を連結するためのビス１９を別途管理する必要がなくなるために、ビス１９の散逸を防止することができる上に、取付け用部品がすべて電気錠組み付けドアＢの連結部品として組み込まれるために、同梱部品を別途箱等に入れて管理することが不要となる。
【００３８】
図５（ａ）に示すように、保持された枠側通線具６はドア体１内に対する移動を規制されるために、搬送、保管時に枠側通線具６が妄りに移動して邪魔になり、あるいはドア体１に衝接してドア体１に傷を付けることが完全に防止される。また、保持状態において、枠側通線具６はドア体１内に完全に収容されてドア体１端面から突出することがないために、ドア体１を保管するためのスペースが増えることがなく、さらに、保管、搬送時に隣接する他のドア体１に衝接して傷を付けることが完全に防がれる。
【００３９】
さらに、枠側通線具６をドア体１内に挿入する際の屈曲された導電ケーブル８、あるいは保護部材は、押さえ片１２により屈曲方向がガイドされるために、導電ケーブル８等が過少な曲率で曲げられて断線したり、あるいは保護部材の連結部に脱離方向の負荷が加わって保護部材が脱離する等の不具合が解消される。
【００４０】
図８以下に本発明の他の実施の形態を示す。なお、本実施の形態において、上述した実施の形態と実質的に同一の構成要素は、図中に同一符号を付して説明を省略する。
【００４１】
図８に示すように、この実施の形態における通線具セットは、ドア側通線具３と、枠側通線具６とを有し、枠側通線具６にコネクタ保持部２０が設けられる。
【００４２】
ドア側通線具３は、上述した実施の形態と同様に、フード部３ｃの正面に配置される上下２枚の面板部３ａ、３ａとを有して形成され、面板部３ａに設けたビス貫通孔３ｄからねじ込まれる図外のビスを使用してドア体１に固定される。また、ドア側通線具３の正面に開口する通線開口３ｂは背面方向上方に向けて開放されるケーブル引き出し孔３ｅと、下方に向けて開放される通線具受容口１１とに連通しており、通線開口３ｂから引き込まれた導電ケーブル８は、ケーブル引き出し孔３ｅから引き出された後、ドア内配線２に接続される（図１参照）。
【００４３】
一方、枠側通線具６は、覆い片１７を備えたフード部６ｂのの正面に上下２枚の面板部６ｄを配置して形成され、面板部６ｄに設けたビス貫通孔６ｅからねじ込まれる図外のビスを使用してドア枠部４に固定される。また、枠側通線具６の正面に開口する通線開口６ａは背面方向上方に向けて開放されるケーブル引き出し孔６ｆに連通しており、通線開口６ｆから引き込まれた導電ケーブル８は、ケーブル引き出し孔６ｆから引き出された後、枠部通過配線５に接続される。
【００４４】
枠部通過配線５との接続は、導電ケーブル８の一端に固定したコネクタ７と、枠部通過配線５の一端に固定した外部接続コネクタ５ａとをプラグイン接続することにより行われ、枠側通線具６の背面部壁面には、コネクタ７を保持するためのコネクタ保持部２０が形成される。
【００４５】
コネクタ７は、コネクタ保持部２０に形成された弾発係止部２２に弾発的に係止して着脱自在に保持される。この実施の形態において、弾発係止部２２は、コネクタ７に弾発係止する一対の係止爪２２ａを対向配置して形成され、コネクタ７を押し付けると、係止爪２２ａが一旦弾性的に撓んだ後、原位置に復帰し、コネクタ７に係止する。
【００４６】
さらに、コネクタ保持部２０には、コネクタ支承部２１が形成される。コネクタ支承部２１は、コネクタ７を保持した状態で外部接続コネクタ５ａをプラグインする際の操作力（図１０（ａ）における矢印Ｆ）に対抗可能な位置に配置される。
【００４７】
したがってこの実施の形態において、搬送時等においては、図８に示すように、予めコネクタ７をコネクタ保持部２０に係止させた状態で、枠側通線具６を下方を先頭にしてドア側通線具３の通線具受容口１１から挿入し、ストッパ部１５を係止スリット１４に係止させると、枠側通線具６をドア側通線具３の面板部３ａ表面から突出させることなく、かつ、不用意にぐらつくことなく連結させることができる。
【００４８】
この状態で、図８（ａ）に示すように、導電ケーブル８にねじれ等が発生することがなくなるために、ねじれ等による断線も確実に防止することができる。
【００４９】
上述した実施の形態と同様に、通線具セット（Ａ）はこの状態でドア体１とともに施工現場に搬送したり、あるいは予めドア体１に組み込んで電気錠組み付けドア（Ｂ）として搬送することが可能であり、ドア枠部４への装着は、図８（ａ）において矢印Ａ方向に枠側通線具６を引き出した後、外部接続コネクタ５ａをコネクタ７に接続し、ドア枠部４に固定すればよい。
【００５０】
なお、外部接続コネクタ５ａの接続は、一旦枠側通線具６をドア側通線具３から取り外した状態で行うことができ、外部接続コネクタ５ａの接続に際し、コネクタ保持部２０にはコネクタ支承部２１が設けられているために、挿入操作時のコネクタ７の脱落等を確実に防止することができる。
【００５１】
さらに、コネクタ７はコネクタ保持部２０から脱離することが可能であるために、枠部通過配線５の余長が少ない場合等には、一旦コネクタ７をコネクタ保持部２０から取り外してコネクタ７に外部接続コネクタ５ａを接続し、枠側通線具６をドア枠部４に固定することもできる。
また、以上において、コネクタ７の外部接続コネクタ５ａの挿入方向を下方に設定した場合を示したが、上向きに設定することも可能である。このように、コネクタ７の挿入開口を上方に向けると、ドア枠部４の上部から配線されることの多い枠部通過配線５は、一旦屈曲することなく直接コネクタ７に連結させることが可能になり、枠部通過配線５に余分な負荷を与えることがなくなる。
（付記）
（付記１）
面板部においてドア体に固定され、ドア内配線をドア体外に引き出す通線開口を提供するドア側通線具と、
ドア枠部に固定され、枠部通過配線をドア枠部外に引き出す通線開口を提供する枠側通線具とを有し、
前記ドア側通線具には、枠側通線具を着脱自在に連結する連結手段が設けられる通線具セット。
（付記２）
面板部においてドア体に固定され、ドア内配線をドア体外に引き出す通線開口を提供するドア側通線具と、
ドア枠部に固定され、枠部通過配線をドア枠部外に引き出す通線開口を提供する枠側通線具とを有し、
前記枠側通線具は、一部、または全部がドア側通線具の通線開口から挿入されて該ドア側通線具の面板部後方に位置する保管姿勢でドア側通線具に対して脱離自在に連結可能な通線具セット。
（付記３）
前記ドア側通線具と枠側通線具の通線開口を挿通し、両端にドア内配線、および枠部通過配線にプラグイン接続されるコネクタが固定された導電ケーブルを備えた付記１または２記載の通線具セット。
（付記４）
前記枠側通線具には、前記枠部通過配線に接続される外部接続コネクタがプラグイン接続されるコネクタを保持するコネクタ保持部が形成される付記３記載の通線具セット。
（付記５）
前記コネクタ保持部は、前記コネクタを脱離可能に保持可能で、かつ、保持したコネクタへの外部接続コネクタの挿入操作力を受けるコネクタ支承部を備える付記４記載の通線具セット。
（付記６）
前記コネクタ保持部は、コネクタを弾発係止可能に形成される付記４または５記載の通線具セット。
（付記７）
前記枠側通線具は、上下いずれか一端部を先頭にしてドア側通線具の通線開口を通過させ、ドア側通線具に対して交差する保管姿勢でドア側通線具に連結される付記１から６のいずれかに記載の通線具セット。
（付記８）
電気錠を組み付けたドア体と、
ドア体に固定されるドア側通線具と、
電気錠のドア内配線に接続されてドア側通線具に開設された通線開口からドア体外に引き出され、該ドア体が装着されるドア枠部を挿通する枠部通過配線にプラグイン接続されるコネクタを一端に固定した導電ケーブルと、
前記ドア枠部に固定可能で、前記ドア側通線具に脱離自在に連結可能な枠側通線具と、
を有する電気錠組み付けドア。
（付記９）
前記枠側通線具には、前記枠部通過配線に接続される外部接続コネクタがプラグイン接続されるコネクタが保持される付記８記載の通線具セット。
（付記１０）
前記枠側通線具は、上下いずれか一端部を先頭にしてドア側通線具の通線開口を通過させて全体がドア体内に格納される付記９記載の電気錠組み付けドア。
（付記１１）
前記枠側通線具は、ドア枠部への連結作業時に使用する止着子を利用してドア側通線具に連結される付記８、９または１０記載の電気錠組み付けドア。
【符号の説明】
【００５２】
１        ドア体
２        ドア内配線
３        ドア側通線具
３ａ      面板部
３ｂ      通線開口
４        ドア枠部
５        枠部通過配線
５ａ      外部接続コネクタ
６        枠側通線具
６ａ      通線開口
７、７’    コネクタ
８        導電ケーブル
９        電気錠
２０      コネクタ保持部
２１      コネクタ支承部
Ａ        通線具セット
Ｂ        電気錠組み付けドア
【図１】
0005427701.tif 000002
【図２】
0005427701.tif 000003
【図３】
0005427701.tif 000004
【図４】
0005427701.tif 000005
【図５】
0005427701.tif 000006
【図６】
0005427701.tif 000007
【図７】
0005427701.tif 000008
【図８】
0005427701.tif 000009
【図９】
0005427701.tif 000010
【図１０】
0005427701.tif 000011
【図１１】
0005427701.tif 000012